(57)【要約】      （修正有）【課題】電力効率が高い無線伝送装置を提供する。【解決手段】無線伝送装置は、音声取込みモジュール１１、記憶モジュール１３、処理モジュール１５及び無線伝送モジュール１７を備える。処理モジュール１５は、音声取込みモジュール１１及び記憶モジュール１３に電気的に接続されて、無線伝送モジュール１７は、処理モジュール１５に電気的に接続される。音声取込みモジュール１１は、音声信号を取得する。処理モジュール１５は、許可されると、音声信号を記憶モジュール１３に格納する、又は、格納した音声信号を読出す。無線伝送モジュール１７は、伝送許可信号に応じて、処理モジュール１５を許可し、格納された音声信号を伝送する。【選択図】図１
0003189731.tif 000002
【実用新案登録請求の範囲】
【請求項１】
音声信号を取得する音声取込みモジュールと、
記憶モジュールと、
前記音声取込みモジュール及び前記記憶モジュールに電気的に接続されて、前記記憶モジュールに前記音声信号を格納する、又は、許可された場合に前記記憶モジュールから前記音声信号を読出す処理モジュールと、
前記処理モジュールに電気的に接続されて、伝送許可信号に応じて前記処理モジュールを許可として前記音声信号を伝送する無線伝送モジュールと、
を備えたことを特徴とする無線伝送装置。
【請求項２】
前記無線伝送モジュールは、更に、伝送禁止信号に応じて前記処理モジュールを禁止とすることを特徴とする請求項１に記載の無線伝送装置。
【請求項３】
前記無線伝送モジュールは、
前記伝送許可信号を検出して検知信号を出力する受信部と、
前記処理モジュールに電気的に接続されて、許可された場合に前記音声信号を無線伝送する伝送部と、
前記受信部、前記伝送部、及び前記処理モジュールに電気的に接続されて、前記検知信号に応じて前記処理モジュール又は前記伝送部を制御する切替部と、
を有することを特徴とする請求項１に記載の無線伝送装置。
【請求項４】
前記伝送許可信号が無線探索信号である場合、前記検知信号は、前記切替部による前記伝送部に対する許可の基準としての探索検知信号であることを特徴とする請求項３に記載の無線伝送装置。
【請求項５】
前記伝送許可信号が伝送要求信号である場合、前記検知信号は、前記切替部による前記処理モジュールに対する伝送許可及び制御の基準としての伝送要求検知信号であることを特徴とする請求項３に記載の無線伝送装置。
【請求項６】
前記伝送許可信号が割込み要求信号である場合、前記検知信号は、前記切替部による前記処理モジュール及び前記伝送部に対する禁止の基準としての割込み要求検知信号であることを特徴とする請求項３に記載の無線伝送装置。
【請求項７】
前記伝送部及び前記受信部が所定期間アイドル状態である場合、前記切替部は、前記処理モジュール及び前記伝送部を禁止とすることを特徴とする請求項３に記載の無線伝送装置。
【請求項８】
前記音声信号のデータは、ＥＯＦ（ｅｎｄ−ｏｆ−ｆｉｌｅ）フラグを有し、前記処理モジュールは、前記ＥＯＦフラグに応じて前記処理モジュールを禁止とすることを特徴とする請求項１に記載の無線伝送装置。
【考案の詳細な説明】
【技術分野】
【０００１】
本開示は、無線伝送装置、特に電力効率が高い無線伝送装置に関する。
【背景技術】
【０００２】
一般に、家庭用血糖値計といった健康測定のための殆どの家庭用測定装置は、一種類のデータのみを測定して、当該データを記憶媒体に格納し、格納されたデータは、手動で分析装置に転送される必要がある。
【考案の概要】
【考案が解決しようとする課題】
【０００３】
しかしながら、ユーザは、データ伝送が完了した後にそうした測定装置をオフし忘れることがあり、測定装置がオンのままでは、電力が無駄に消費される。
【課題を解決するための手段】
【０００４】
上記課題を解決する本考案の無線伝送装置は、音声取込みモジュール、記憶モジュール、処理モジュール、及び無線伝送モジュールを備える。処理モジュールは、音声取込みモジュール及び記憶モジュールに電気的に接続され、無線伝送モジュールは、処理モジュールに電気的に接続される。音声取込みモジュールは、音声信号を取得する。処理モジュールは、音声信号の記憶モジュールへの格納、又は、格納された音声信号の読出しを行う。無線伝送モジュールは、伝送許可信号に応じて処理モジュールを許可し、格納された音声信号を伝送する。
【考案の効果】
【０００５】
上記の無線伝送装置によれば、送信先装置からの信号に応じて、どのモジュールを許可又は禁止とすべきかを決定し、それにより電気消費を大幅に削減できる。
非限定的な一例として、無線伝送装置は無線電子聴診器に適用できる。無線電子聴診器は、心拍又は呼吸音をそのメモリに格納した後に、ハイバネーションモードで動作するように設定される。ここでは、携帯電話又はコンピュータ等の別の電気装置が、無線電子聴診器を無線で探索できる。使用可能な無線電子聴診器を探索する電気装置から電波を受信すると、無線電子聴診器は、電波を返信して、無線電子聴診器と電気装置との間で無線接続を確立する。次に、無線電子聴診器の処理モジュールは、電気装置からこの動作を特定するコマンドを受信した後、無線電子聴診器に格納されたもう一つの心拍又は呼吸音ファイルを読出し、送信することを許可される。また、電気装置は、いつでもファイル伝送を中断するコマンドを送信することもできる。
一方、１つ以上のファイルが完全に伝送される場合、又は、電気装置と無線電子聴診器との間の接続がオフにされる場合（即ち、電気装置と無線電子聴診器との間に全く信号伝送がない場合）、無線電子聴診器は、全モジュールを禁止とし、自動的に、任意の電気装置がファイル伝送を求めるまで又は命令するまで、作動モードの代りにハイバネーションモードで動作する。
【０００６】
本考案は、添付の図面に沿って以下に挙げた詳細な説明文から、さらに完全に理解されるであろう。図面は、説明を目的としているだけであり、本考案を限定するものではない。
【図面の簡単な説明】
【０００７】
【図１】一実施形態としての無線伝送装置のブロック図である。
【図２】図１の無線伝送モジュールのブロック図である。
【図３】一実施形態としての無線伝送装置の動作を示すフローチャートである。
【考案を実施するための形態】
【０００８】
以下の詳細な説明文では、説明を目的として、開示する実施形態を完全に理解してもらうために数々の特定の詳細を記載する。しかしながら、これらの特定の詳細がなくとも、１つ以上の実施形態を実践できることは明らかであろう。また、図面を簡易化するために、公知の構造および装置を概略的に示している。
本開示は、ハンドヘルドコンピュータからコマンドを受信した後に作動モードで自動的に動作でき、受信したコマンドを完了した後に作動モードの代りにハイバネーションモードで自動的に動作でき、それにより不要な電力消費量を抑える又は節約できる無線伝送装置を提供する。
【０００９】
図１は、一実施形態としての無線伝送装置のブロック図である。無線伝送装置は、音声取込みモジュール１１、記憶モジュール、切替部１５、及び無線伝送モジュール１７を備える。処理モジュール１５は、音声取込みモジュール１１、記憶モジュール１３、及び無線伝送モジュール１７と電気的に接続される。
【００１０】
音声取込みモジュール１１は、音声信号を取得できる。特定の実施形態では、音声取込みモジュール１１は、１つ以上の集音器及び１つ以上のＡＤ変換器（ＡＤＣ）を有する。集音器は、音声エネルギを収集して、収集した音声エネルギをアナログ電気信号に変換でき、ＡＤＣは、アナログ電気信号をディジタル信号（即ち、音声信号）に変換できる。
特定の実施形態では、１つ以上のフィルタが、１つ以上の集音器と１つ以上のＡＤＣとの間に更に配置される。非限定的な一例として、フィルタは、ローパスフィルタ又はバンドパスフィルタとすることが可能であり、能動フィルタ（増幅回路を含む）又は受動フィルタ（例えば、コンデンサ、レジスタ、インダクタ等の受動電気部品から成る）とすることができる。非限定的な一例として、フィルタの通過帯域周波数は、２０〜２０００Ｈｚ又は２０〜２００００Ｈｚである。
【００１１】
記憶モジュール１３は、データを格納するよう構成され、特に音声取込みモジュール１１によって取得された音声信号を格納するよう構成される。
特定の実施形態では、記憶モジュール１３は、無線伝送装置が小型化され、繰返しデータを読書きできる１つ以上の消去可能な読出し専用メモリ（ＥＲＯＭ）を含む。
【００１２】
処理モジュール１５は、記憶モジュール１３に、音声取込みモジュール１１によって取得された音声信号を格納できる、又は、許可されると記憶モジュール１３に格納された音声信号を読出せる。
この実施形態又は幾つかの実施形態では、処理モジュール１５は、１つ以上の音声ファイルとして一組の音声信号を記憶モジュール１３に書き込み、各音声ファイルにＥＯＦ（ｅｎｄ−ｏｆ−ｆｉｌｅ）フラグを付け加える。記憶モジュール１３の一音声ファイルを読出す際に、処理モジュール１５は、ＥＯＦを読出すことによって一音声ファイルの終端を決定でき、それにより処理モジュール１５は、無線伝送モジュール１７を除く無線伝送装置のモジュール（それ自体を含む）を禁止とできる。
特定の実施形態では、非限定的に、処理モジュール１５は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、ＡＲＭ（ａｄｖａｎｃｅｄ  ＲＩＳＣ  ｍａｃｈｉｎｅ）、ＣＰＵ（ｃｅｎｔｒａｌ  ｐｒｏｃｅｓｓｉｎｇ  ｕｎｉｔ）、単一チップコントローラ、又は他の適切な演算部品及び命令部品とすることができる。
【００１３】
無線伝送モジュール１７は、伝送許可信号に応じて、処理モジュール１５を許可し、記憶モジュール１３に格納された音声信号を伝送できる。特定の実施形態では、無線伝送装置は、ハイバネーションモードで動作する場合、無線伝送モジュール１７のみが許可され、他のモジュールは禁止とされる。
ここでは、無線伝送モジュール１７が伝送許可信号を受信すると、処理モジュール１５は、無線伝送装置における他のモジュールを制御することを、無線伝送モジュール１７によって許可される。また、処理モジュール１５は、記憶モジュール１３に格納された音声信号を読出し、無線伝送モジュール１７を、伝送許可信号の送信先装置に音声信号を無線伝送するように制御できる。
伝送許可信号の送信先の装置が、伝送禁止信号を無線伝送モジュール１７に送信すると、処理モジュール１５は、無線伝送モジュール１７を除く他のモジュールを禁止とし、その後無線伝送モジュール１７によって禁止とされる。
【００１４】
一実施形態では、図２の無線伝送モジュール１７は、受信部１７１、伝送部１７３、及び切替部１７５を含む。伝送部１７３と切替部１７５は、処理モジュール１５に電気的に接続され、切替部１７５は、受信部１７１と伝送部１７３とに電気的に接続される。
【００１５】
受信部１７１は、伝送許可信号を検出して、検知信号を出力できる。非限定的な一例として、受信部１７１は、１つ以上の誘導コイル及び１つ以上の整流器を含むことができ、整流器は、受動部品によって具現化される。そのために、受信部１７１は、無線伝送装置に供給される電力を消費しない。
【００１６】
伝送部１７３は、許可されると、処理モジュール１５によって出力される音声信号（即ち、音声ファイルの信号）を無線伝送できる。一実施形態では、伝送部１７３は、音声信号を搬送波と結合し、その後搬送波を音声信号と共に、伝送許可信号の送信先装置に無線伝送する。
非限定的な一例として、音声信号を搬送波と結合する方法は、周波数変調（ＦＭ）、振幅変調（ＡＭ）、位相変調（ＰＭ）、周波数偏移キーイング、振幅偏移キーイング、位相偏移キーイング、又は他の適当な変調とすることができる。
【００１７】
切替部１７５は、処理モジュール１５及び／又は伝送部１７３を、検知信号に応じて制御できる。伝送許可信号が無線探索信号である場合には、送信先装置が無線伝送装置を探索するように指定する。ここでは、受信部１７１は、送信先装置から探索検知信号を取得し、切替部１７５は、探索検知信号に応じて、伝送部１７３が送信先装置に信号を送信することを許可する。
伝送許可信号が伝送要求信号である場合には、送信先装置が、無線伝送装置に１又は複数セットの格納された音声信号（即ち、１つ以上の音声ファイル）を送信する命令を試みるように指定する。ここでは、受信部１７１は、送信先装置から伝送要求検知信号を取得し、切替部１７５は、処理モジュール１５が記憶モジュール１３から１つ以上の音声ファイルを読出し、その後、当該音声ファイルを、伝送要求検知信号に応じて、送信先装置に送信することを許可する。
伝送許可信号が割込要求信号である場合には、送信先装置が、無線伝送装置に信号を送信することを停止する命令を試みるように指定する。ここでは、受信部１７１は、送信先装置から割込み要求検知信号を取得し、切替部１７５は、割込み要求検知信号に応じて、処理モジュール１５及び伝送部１７３を禁止とする。
【００１８】
また、受信部１７１と伝送部１７３の両方が所定期間（例えば、１５秒又は３０秒）アイドル状態である（即ち、信号が、無線伝送装置と如何なる送信先装置との間でも伝送されていない）と、無線伝送装置が、現在の信号伝送タスクを完了し、如何なる送信先装置からのコマンドもまだ受信していないように指定する。
ここでは、切替部１７５は、処理モジュール１５及び伝送部１７３を禁止とする。非限定的な一例として、無線伝送モジュール１７は、ブルートゥース（登録商標）受信機、ＩＥＥＥ８０２．１１規格における無線受信機、又は他の適当な無線受信機とすることができる。
【００１９】
無線伝送装置の動作について、以下の通り説明する。図１及び図３を参照すると、無線伝送装置は、以下のステップを実行する。
まず、音声取込みモジュール１１は、音声信号を取得し（ステップＳ３１０）、処理モジュール１５は、記憶モジュール１３に、取得した音声信号を格納する（ステップＳ３２０）。次に、無線伝送モジュール１７は、処理モジュール１５を許可し、格納された音声信号を、伝送許可信号に応じて、伝送する（ステップＳ３３０）。最後に、処理モジュール１５は、禁止とされ、音声信号の伝送が停止される（ステップＳ３４０）。
【００２０】
上記実施形態では、送信先装置からの信号に応じて、無線伝送装置は、どのモジュールを許可又は禁止とすべきかを決定し、それにより電力消費量を大幅に抑えられる。
【００２１】
非限定的な一例として、無線伝送装置は、無線電子聴診器に適用できる。無線電子聴診器は、心拍又は呼吸音をそのメモリに記録した後に、ハイバネーションモードで動作するよう設定される。ここでは、携帯電話又はコンピュータ等の別の電気装置が、無線電子聴診器を、無線で探索できる。
使用可能な無線電子聴診器を探索する電気装置から電波を受信すると、無線電子聴診器は、電波を返信して、無線電子聴診器と電気装置との間で無線接続を確立する。次に、無線電子聴診器の処理モジュールは、電気装置からこの動作を特定するコマンドを受信した後、無線電子聴診器に格納されたもう一つの心拍又は呼吸音ファイルを読出し、送信することを許可される。また、電気装置は、いつでもファイル伝送を中断するコマンドを送信することもできる。
一方、１つ以上のファイルが完全に伝送されると、又は、電気装置と無線電子聴診器との間の接続がオフにされると（即ち、電気装置と無線電子聴診器との間に全く信号伝送がないと）、無線電子聴診器は、全モジュールを禁止とし、自動的に、任意の電気装置がファイル伝送を求めるまで又は命令するまで、作動モードの代りにハイバネーションモードで動作する。
【符号の説明】
【００２２】
１１        音声取込みモジュール
１３        記憶モジュール
１５        処理モジュール
１７        無線伝送モジュール
１７１      受信部
１７３      伝送部
１７５      切替部
【図１】
0003189731.tif 000003
【図２】
0003189731.tif 000004
【図３】
0003189731.tif 000005